(57)【特許請求の範囲】
【請求項１】
煙突と該煙突を支持して周囲に設置された支持鉄塔からなる塔状構造物の解体方法であって、前記支持鉄塔にガイド支持されつつ煙突をジャッキダウン装置の支持のもとに下部から順次、解体・搬出する塔状構造物の解体方法において、前記煙突の解体を支持鉄塔の高さより下方まで行い、残った煙突の上部にて前記支持鉄塔を支持しつつ該支持鉄塔の中間部から最上部までを順次解体・搬出した後に、前記残った煙突および支持鉄塔の最下部を解体・搬出することを特徴とする塔状構造物の解体方法。
【請求項２】
前記残った煙突の上部にて前記支持鉄塔を支持しつつ該支持鉄塔の中間部を解体するために、地上のウインチと支持鉄塔の解体すべきユニット直上のユニットの下部とを接続したワイヤの折り返し点を、前記残った煙突の上部にて支持し、中間部の順次解体に伴って前記ウインチのワイヤを繰り出して支持鉄塔を下降させることを特徴とする請求項１に記載の塔状構造物の解体方法。
【請求項３】
前記中間部が解体されて下降した残りの支持鉄塔において、さらに解体すべき中間部のユニット直上のユニットの下部にワイヤの末端を固定する盛替えを行った後に、該支持鉄塔を前記残った煙突の上部にて支持し、中間部の順次解体に伴って前記ウインチのワイヤを繰り出して支持鉄塔を下降させることを特徴とする請求項２に記載の塔状構造物の解体方法。
【請求項４】
前記支持鉄塔の中間部から最上部までの解体が完了した後に、ジャッキダウン装置の支持のもとで残った煙突を下部から順次、解体・搬出することを特徴とする請求項３に記載の塔状構造物の解体方法。
【請求項５】
前記ワイヤの折り返し点における煙突上部への支持が滑車を介してなされることを特徴とする請求項１から４のいずれかに記載の塔状構造物の解体方法。
【発明の詳細な説明】
【０００１】
【発明の属する技術分野】
本発明は、煙突と該煙突を支持して周囲に設置された支持鉄塔からなる塔状構造物の解体方法に関する。
【０００２】
【従来の技術】
煙突と該煙突を支持して周囲に設置された支持鉄塔からなる塔状構造物を解体・撤去する場合は、高さがこれらの塔状構造物に匹敵する大型のクローラクレーン等により解体していたが、この大型のクローラクレーンは、使用料が高価で総工事費の高騰を招き、また、大型のクローラクレーンを現地で組み立てる必要があることから、広大な作業エリアを要し、クローラクレーン等の大型の作業機械が適用できる塔状構造部の解体には制限が伴うことが多かった。また、解体工事が殆ど高所作業となることから安全性にも問題があった。
【０００３】
そこで、これらの問題を解決するものとして、図４に示したような特開２００１−１５９２４９号公報に開示されたタワークレーンを用いた鉄塔型高層煙突の解体方法が提案された。この解体方法は、煙突（筒身）１０１の下部にジャッキ装置１０６を設置し、煙突１０１の下部側の単体を切断、撤去した後に、このジャッキ装置１０６により、上部側煙突１０１を下降させながら、切断、撤去を順次繰り返して解体を行う。また、支持鉄塔１０２の解体は、鉄塔１０２に支持させてタワークレーン１０５を鉛直に設置し、このタワークレーン１０５のタワー部１０５ｃ上に設置したクレーン本体１０５ａにおけるフック１０５ｂを用いて鉄塔１０２の切断、撤去を頂部側から行うものである。
【０００４】
【発明が解決しようとする課題】
しかしながら、このタワークレーンを用いた解体方法では、タワークレーン１０５は解体すべき支持鉄塔１０２により支持させつつ支持鉄塔１０２の解体を行うものであるが、支持鉄塔１０２の各部にタワークレーン１０５の支持のための支持部材を設置する必要がある。ところが、通常、支持鉄塔１０２の断面積は基礎部から上部にかけて漸減しているため、支持鉄塔１０２の上部ではタワークレーン１０５と支持鉄塔１０２との間が大きく離れてしまい支持部材の取付けが困難であった。また、タワークレーン１０５の高さを少なくとも支持鉄塔１０２の高さまで組み立てなければならず、規模が大型化する上に、タワークレーン１０５の組立や解体にも多くの時間と労力を費やすこととなって、コストアップにもつながった。
【０００５】
そこで、本発明は、前記従来の塔状構造物の解体方法の諸課題を解決して、小規模の機材を用いて、限られた作業エリアでも高層の塔状構造物の解体を容易かつ迅速に行える、低コストな塔状構造物の解体方法を提供することを目的とする。
【０００６】
【課題を解決するための手段】
このため本発明は、煙突と該煙突を支持して周囲に設置された支持鉄塔からなる塔状構造物の解体方法であって、前記支持鉄塔にガイド支持されつつ煙突をジャッキダウン装置の支持のもとに下部から順次、解体・搬出する塔状構造物の解体方法において、前記煙突の解体を支持鉄塔の高さより下方まで行い、残った煙突の上部にて前記支持鉄塔を支持しつつ該支持鉄塔の中間部から最上部までを順次解体・搬出した後に、前記残った煙突および支持鉄塔の最下部を解体・搬出することを特徴とする。また本発明は、前記残った煙突の上部にて前記支持鉄塔を支持しつつ該支持鉄塔の中間部を解体するために、地上のウインチと支持鉄塔の解体すべきユニット直上のユニットの下部とを接続したワイヤの折り返し点を、前記残った煙突の上部にて支持し、中間部の順次解体に伴って前記ウインチのワイヤを繰り出して支持鉄塔を下降させることを特徴とする。また本発明は、前記中間部が解体されて下降した残りの支持鉄塔において、さらに解体すべき中間部のユニット直上のユニットの下部にワイヤの末端を固定する盛替えを行った後に、該支持鉄塔を前記残った煙突の上部にて支持し、中間部の順次解体に伴って前記ウインチのワイヤを繰り出して支持鉄塔を下降させることを特徴とする。また本発明は、前記支持鉄塔の中間部から最上部までの解体が完了した後に、ジャッキダウン装置の支持のもとで残った煙突を下部から順次、解体・搬出することを特徴とする。また本発明は、前記ワイヤの折り返し点における煙突上部への支持が滑車を介してなされることを特徴とするもので、これらを課題解決のための手段とするものである。
【０００７】
【実施の形態】
以下、本発明の塔状構造物の解体方法の実施の形態を図面に基づいて詳細に説明する。図１〜図３は１実施の形態を示すもので、図１（Ａ）〜（Ｃ）はステップ１〜ステップ３の解体工程を示し本発明の基本概念図、図１（Ｄ）は地上（基礎）の平面図、図２（Ａ）〜（Ｃ）はステップ４〜ステップ６の解体後半の工程を示し詳細実施の形態図、図３（Ａ）は解体前の塔状構造物の正面図、図３（Ｂ）は支持鉄塔ユニット２Ｂにおける水平支持部９Ｂの平面図である。本発明の基本構成は、図１に示すように、煙突１と該煙突１を支持して周囲に設置された支持鉄塔２からなる塔状構造物の解体方法であって、前記支持鉄塔２にガイド支持されつつ煙突をジャッキダウン装置３の支持のもとに下部から順次、解体・搬出する塔状構造物の解体方法において、前記煙突１の解体を支持鉄塔２の高さより下方まで行い（図１（Ｂ））、残った煙突１の上部にて前記支持鉄塔２（ユニット２Ｄ〜２Ｈまで）を支持しつつ該支持鉄塔の中間部から最上部まで（ユニット２Ｂ〜２Ｈ）を順次解体・搬出した後に、前記残った煙突１および支持鉄塔の最下部（ユニット２Ａ）を解体・搬出することを特徴とするものである。
【０００８】
以下詳細に説明する。図１（Ａ）に示すように、基礎である地上Ｇ上に煙突１が鉛直に起立設置され、該煙突１の周囲には煙突１を支持すべく上方程断面積が漸減する支持鉄塔２が設置されている。支持鉄塔２には高さ方向に適宜の間隔を置いて水平支持部９Ａ〜９Ｈ（８段の場合、９Ａは地上部）が架設され、これらの水平支持部９Ａ〜９Ｈの幾つか（後述するワイヤ６、７の使用により支持鉄塔２を煙突１の上部にて支持しつつ解体下降させる際に、水平支持部９に対してワイヤ６、７をクリアさせる必要があることから、全ての水平支持部９と煙突１とが支持関係にある必要はない。図３の太線で示す、９Ｂ、９Ｄ、９Ｆおよび９Ｉが煙突の外周部を保持しての支持部である。ワイヤ６、７が煙突１の外周部と水平支持部９との間をクリアできる形状が採用されるなら、各水平支持部９Ｂ〜９Ｉの全てで煙突１の外周部を保持するように構成することもできる。）が図示省略の適宜の固定手段によって前記煙突１の外周部を固定支持している。したがって図示の例では、支持鉄塔２はユニット２Ａ〜２Ｈの８段から構成される。このような煙突１と支持鉄塔２からなる塔状構造物を本発明の解体方法によって解体するには、以下のような工程によって行う。
【０００９】
図１（Ａ）の状態のステップ１において、煙突１の最下部の周囲において地上Ｇにジャッキダウン装置３を設置する。支持鉄塔２におけるジャッキダウン装置３の上側の水平支持部９Ｂ〜９Ｈの幾つかの支持部における煙突１の外周との固定を解いて、煙突１が鉛直方向に移動可能としておく。一方、図１（Ａ）および（Ｄ）に示すように、前記ジャッキダウン装置３の係合部１０と煙突１に設置した係止金具１１とを係合した後に、煙突１の最下部分を切断・解体して、該解体部分を台車とレール等から構成される搬出入装置４により支持鉄塔２の外方へ搬出・撤去する。切断、撤去されて空間となった部分に、残った上側煙突部分１をジャッキダウン装置３により下降させる。このとき、残った上側煙突部分１は支持鉄塔２における各水平支持部９Ｂ〜９Ｈの幾つかにより円滑にガイド支持されて安定して下降する。
【００１０】
前述のジャッキダウン装置３による煙突１の固定、固定部より下部の煙突の切断、ジャッキダウン装置３による固定解除と残った煙突部の下降、を順次繰り返して、図１（Ｂ）に示すように、煙突１の解体を支持鉄塔２の高さより下方まで行った時点で、本発明の最も特徴的な方法によって、今度は支持鉄塔の解体がなされる。残った煙突１の上部にて前記支持鉄塔２を支持しつつ該支持鉄塔２の中間部を解体・搬出するものである。つまり、地上Ｇに４つのウインチ５を均等に配設し（図１（Ｄ）参照）、これらの各ウインチ５と支持鉄塔２の解体すべきユニット２Ｂ、２Ｃ直上のユニット２Ｄの下部（ユニット２Ｃと２Ｄとの接続部）に設置した滑車１３等とを接続したワイヤ６Ａ、６Ｂ（６Ａがウインチ５側、６Ｂが支持鉄塔２Ｃ側）の折り返し点を、前記残った煙突１の上部にて４つの滑車８等により支持する。この状態が図１（Ｂ）のステップ２である。
【００１１】
地上Ｇに均等に配設された４つのウインチ５により各ワイヤ６Ａを均等に支持することにより、中間部および最下部の支持鉄塔ユニット２Ｄ〜２Ｈは残った煙突１の上部にて確実に支持されることになる、この状態にて、支持鉄塔２における地上より２番目の保持部である水平支持部９Ｄから地上より１番目の保持部である水平支持部９Ｂとの間の中間部側ユニット２Ｂおよび２Ｃをを一点鎖線のように切断して解体・搬出、撤去した後に、順次、各ウインチ５における各ワイヤ６Ａを繰り出して支持鉄塔を下降させる。この状態を示したものが図１（Ｃ）であり、支持鉄塔２の最下部のユニット２Ａは残されて、該支持鉄塔ユニット２Ａの上に最後に解体されるべき支持鉄塔２Ｄ〜２Ｈが載置される。該ステップ３では、ステップ２からステップ３の工程で上部支持鉄塔ユニット２Ｄ〜２Ｈの支持、下降に使用したワイヤ６Ａ、６Ｂに代わって、さらに解体すべき中間部のユニット２Ｄ〜２Ｆ直上のユニット２Ｇの下部（２Ｆとの接続部）の滑車等にワイヤ７Ｂの末端を固定する盛替えを行う。前記滑車８はそのまま使用し、ワイヤ６Ａ、６Ｂは取り外してもよいし、ワイヤ６Ｂの支持鉄塔ユニット２Ｄの下端部への接続を解いてワイヤ７Ｂとしてユニット２Ｇの下端部に接続し直して使い回ししてもよい。
【００１２】
図２は本発明の解体工程の後半を示すもので、前記図１（Ｃ）のステップ３の状態から、上部の支持鉄塔２Ｇ、２Ｈをワイヤ７Ａ、７Ｂの支持のもとに支持鉄塔ユニット２Ｄ、２Ｅ、３Ｆを解体、撤去した後に、図２（Ａ）のステップ４に示すように、ウインチのワイヤ７Ａを繰り出していくことで、煙突１の上部の滑車８にて支持された上部の支持鉄塔２Ｇ、２Ｈが下降する。最下部の支持鉄塔ユニット２Ａの上でこれらの支持鉄塔２Ｇ、２Ｈを解体した後これらを撤去する。次いで、図２（Ｂ）のステップ５に示すように、ジャッキダウン装置３による残った煙突１の外周部への固定と開放を順次繰り返して、最下部分１ｎを切断・解体して、該解体部分を搬出入装置４により支持鉄塔２の外方へ搬出・撤去する。図２（Ｃ）はステップ６を示し、煙突１がジャッキダウン装置３とほぼ同じ高さにまで解体され、支持鉄塔ユニット２Ａとが残された状態である。最後に残ったこれらの煙突１と支持鉄塔ユニット２Ａとを解体、撤去して塔状構造物の解体作業が完了する。なお、残された煙突をジャッキダウン装置の支持と、これに支持鉄塔の最下部の水平支持部とで支持させて解体するようにしてもよい。さらに、残された煙突がジャッキダウン装置の支持と、かつ煙突の上部と地上に設置されたウインチのワイヤでの支持が強度的に充分に安全である場合は、支持鉄塔の解体の工程を最下部から順次最上部に向けて行うこともできる。
【００１３】
以上、本発明の各実施の形態について説明してきたが、本発明の趣旨の範囲内で、煙突および支持鉄塔の形状（図示の円柱状煙突の他、角形断面煙突とそれに対応する支持鉄塔の水平支持部の支持形状等）、形式ならびに水平支持部材による支持形態を含むそれらの間の関連構成、ジャッキダウン装置の形状、形式およびその煙突外周部への固定形態（図示のジャッキダウン装置の係合部と煙突係止金具との固定、開放の他、ジャッキダウン装置の筒状部材の拡・縮による煙突外周部への開放・締結等）、煙突の切断形態、支持鉄塔の解体形態（解体された支持鉄塔を支持鉄塔外方の地上からワイヤでガイドしながら下降させてもよい。）、ウインチの形状、形式、ワイヤの支持鉄塔への接続形態（既設の水平支持部材に滑車を設置する他、必要に応じて支持鉄塔の適宜位置に水平支持部材を追加設置して、該水平支持部材に滑車等を設けてもよい。また、この位置から煙突を別途のワイヤ等により水平支線を張設してもよい。）、ワイヤの折り返し点の煙突上部への支持形態（滑車の他、低摩擦フック等）、ウインチにおけるワイヤ繰出し形態、ワイヤの盛替え形態等については適宜採用が可能である。
【００１４】
【発明の効果】
以上、詳細に説明してきたように本発明によれば、煙突と該煙突を支持して周囲に設置された支持鉄塔からなる塔状構造物の解体方法であって、前記支持鉄塔にガイド支持されつつ煙突をジャッキダウン装置の支持のもとに下部から順次、解体・搬出する塔状構造物の解体方法において、前記煙突の解体を支持鉄塔の高さより下方まで行い、残った煙突の上部にて前記支持鉄塔を支持しつつ該支持鉄塔の中間部から最上部までを順次解体・搬出した後に、前記残った煙突および支持鉄塔の最下部を解体・搬出することにより、煙突とその周囲を支持する支持鉄塔との解体途中にある相手側を互いにガイドしつつ支持部材として利用することで、限られた作業エリアでも小規模の機材を用いて、高層の塔状構造物の解体を地上付近での作業により安全に、容易かつ迅速に行えて、低コストな解体がなされる。
【００１５】
また、前記残った煙突の上部にて前記支持鉄塔を支持しつつ該支持鉄塔の中間部を解体するために、地上のウインチと支持鉄塔の解体すべきユニット直上のユニットの下部とを接続したワイヤの折り返し点を、前記残った煙突の上部にて支持し、中間部の順次解体に伴って前記ウインチのワイヤを繰り出して支持鉄塔を下降させることにより、解体途中の煙突を有効に支持部材として利用して、支持鉄塔を解体しながらウインチからの徐々のワイヤの繰り出しにより、水平支持部材を介して互いをガイドしながら安全に下降させることができる。
さらに、前記中間部が解体されて下降した残りの支持鉄塔において、さらに解体すべき中間部のユニット直上のユニットの下部にワイヤの末端を固定する盛替えを行った後に、該支持鉄塔を前記残った煙突の上部にて支持し、中間部の順次解体に伴って前記ウインチのワイヤを繰り出して支持鉄塔を下降させることにより、残った煙突に支持された支持鉄塔の次工程の解体、下降への移行を円滑に行うことができる。
【００１６】
さらにまた、前記支持鉄塔の中間部から最上部までの解体が完了した後に、ジャッキダウン装置の支持のもとで残った煙突を下部から順次、解体・搬出することにより、煙突の残った部分の解体が適正な鉛直状態を保持したままで安全に行うことができる。
また、前記ワイヤの折り返し点における煙突上部への支持が滑車を介してなされることにより、支持鉄塔の下降が円滑に行え、支持鉄塔へのワイヤの固定部を滑車としたものと組み合わせれば、滑車倍力機構を形成して小さな保持力で支持鉄塔を安全かつ円滑に下降させることができる。
かくして、本発明によれば、小規模の機材を用いて、限られた作業エリアでも高層の塔状構造物の解体を容易かつ迅速に行える、低コストな塔状構造物の解体方法が提供される。
【図面の簡単な説明】
【図１】本発明の塔状構造物の解体方法の１実施の形態を示すもので、図１（Ａ）〜（Ｃ）は解体工程の前半を示す本発明の基本概念図、図１（Ｄ）は地上（基礎）の平面図である。
【図２】同、図２（Ａ）〜（Ｃ）はステップ４〜ステップ６の解体後半の工程を示す詳細実施の形態図である。
【図３】同、図３（Ａ）は解体前の塔状構造物の正面図、図３（Ｂ）は支持鉄塔ユニット２Ｂにおける水平支持部９Ｂの平面図である。
【図４】従来の鉄塔型高層煙突の解体方法の説明図である。
【符号の説明】
１・・・・煙突
２・・・・支持鉄塔
２Ａ
〜２Ｈ・・・支持鉄塔ユニット
３・・・・ジャッキダウン装置
４・・・・搬出入装置
５・・・・ウインチ
６・・・・ワイヤ
６Ａ・・・・上部支持側
６Ｂ・・・・下部ウインチ側
７・・・・ワイヤ
７Ａ・・・・上部支持側
７Ｂ・・・・下部ウインチ側
８・・・・滑車
９・・・・水平支持部
９Ａ
〜９Ｈ・・・各水平支持部
１０・・・・ジャッキダウン装置係合部
１１・・・・煙突係止金具
１３・・・・滑車
Ｇ・・・・基礎（地上）
【図１】
0003688655.tif 000002
【図２】
0003688655.tif 000003
【図３】
0003688655.tif 000004
【図４】
0003688655.tif 000005